(57)【特許請求の範囲】
【請求項１】
ドアの開閉を検出する開閉検出手段と、ドアロックの状態を検出する状態検出手段と、前記状態がアンロックからロックとなった後に、前記開閉が開から閉となった場合に、給油口外蓋を施錠する施錠手段を含む、ことを特徴とする給油口外蓋施錠装置。
【請求項２】
前記ドアを複数含み、前記状態は全ドアの状態であることを特徴とする請求項１に記載の給油口外蓋施錠装置。
【請求項３】
前記施錠手段の給油口施錠指令と解錠指令に基づいて駆動する給油口側駆動手段と、前記施錠手段の前記ドアのドア施錠指令と前記解錠指令に基づいて駆動するドア側駆動手段とを含み、車両の電源線から引き出されて枝線分岐されて前記給油口側駆動手段と前記ドア側駆動手段の解錠側端子に接続される解錠電力供給線を含むことを特徴とする請求項１又は２に記載の給油口外蓋施錠装置。
【請求項４】
前記電源線から引き出されて前記給油側駆動手段の施錠側端子に接続される施錠電力供給線を含み、前記施錠電力供給線を前記給油口施錠指令がない場合に遮断する遮断手段を含むことを特徴とする請求項３に記載の給油口外蓋施錠装置。
【請求項５】
前記車両が駐車中でない場合に、ユーザの選択、シフト位置又は車速に基づいては、前記施錠手段は前記給油口施錠指令を出力しないことを特徴とする請求項４に記載の給油口外蓋施錠装置。
【請求項６】
ドアロックの状態がロックとなった後、ドアが閉となる場合に給油口外蓋を施錠する施錠ステップを含む、ことを特徴とする給油口外蓋施錠方法。
【請求項７】
請求項６の給油口外蓋施錠方法を実行するプログラム。
【請求項８】
請求項７に記載のプログラムを記憶した媒体。
【発明の詳細な説明】
【技術分野】
【０００１】
本発明は、車両に搭載される給油口外蓋の施錠及び解錠を、ドアロック、ドアアンロックに対して適宜連動させてより高い操作性と保安性を実現することができる給油口外蓋施錠装置、給油口外蓋施錠方法、プログラム及び媒体に関する。
【背景技術】
【０００２】
車両においては一般に、燃料を給油する給油口の部分を覆う外蓋として、所謂フューエルリッドが車両外板の輪郭に沿う形態で設置されている。このフューエルリッドは車両に対して給油が必要な場合等に適宜開扉されるとともに、この適宜の開扉に都合がよいタイミングで施錠及び解錠が行われる。給油作業前後には通常、ドアアンロック、ドアロックを伴うため、フューエルリッドの施錠及び解錠を行うタイミングを、車両のドアアンロック、ドアロックを連動させて行うことは、例えば特許文献１に提案されている。
【先行技術文献】
【特許文献】
【０００３】
【特許文献１】実開昭６２−１０３９５５号公報
【発明の概要】
【発明が解決しようとする課題】
【０００４】
しかしながら、この従来技術においては、車両のドアがスライドドアであって、スライドドアのドアロック機構に連動させてフューエルリッドの施錠及び解錠を行う機械的なロッド部材を用いる構成であるため、車両の各ドアの特には運転席側のフロントドアと連動させることが困難である。
【０００５】
また、ドアアンロックやドアロックに伴うカーテシランプの信号を検出して、フューエルリッドの施錠や解錠を行うことも考えられるが、ドアのインサイドハンドルロックノブをロックとして、アウトサイドハンドルを引きながらドアを閉とする所謂キーレスロックでは、ドアロック信号を検出することができず、やはりドアに連動させて動作させることが困難であり、よりユーザフレンドリーな操作を実現できないという課題があった。
【０００６】
本発明は、上記問題に鑑み、よりユーザフレンドリーな操作を実現できる給油口外蓋施錠装置、給油口外蓋施錠方法、プログラム及び媒体を提供することを目的とする。
【課題を解決するための手段】
【０００７】
上記の問題を解決するため、本発明による給油口外蓋施錠装置は、
ドアの開閉を検出する開閉検出手段と、ドアロックの状態を検出する状態検出手段と、前記状態がアンロックからロックとなった後に、前記開閉が開から閉となった場合に、給油口外蓋を施錠する施錠手段を含む、ことを特徴とする。
【０００８】
上記の問題を解決するため、本発明による給油口外蓋施錠方法は、
ドアロックの状態がロックとなった後、ドアが閉となる場合に給油口外蓋を施錠する施錠ステップを含む、ことを特徴とする。
【０００９】
本発明によるプログラムは前記給油口外蓋施錠方法を実行するものであり、本発明による媒体は前記プログラムを記憶したものである。
【発明の効果】
【００１０】
本発明によれば、よりユーザフレンドリーな操作を実現できる給油口外蓋施錠装置、給油口外蓋施錠方法、プログラム及び媒体を提供することができる。
【図面の簡単な説明】
【００１１】
【図１】本発明に係る実施例のフューエルリッドロック装置１（給油口外蓋施錠装置）の一実施形態を示す模式図である。
【図２】実施例のフューエルリッドロック装置１におけるキーレスロックの検出態様を示す模式図である。
【図３】実施例のフューエルリッドロック装置１の制御内容を示すフローチャートである。
【図４】実施例のフューエルリッドロック装置１においてフューエルリッドロックを単独で行う場合の動作態様を示す模式図である。
【図５】実施例のフューエルリッドロック装置１においてフューエルリッドロックを全席ドアロックに併せて行う場合の動作態様を示す模式図である。
【図６】実施例のフューエルリッドロック装置１においてフューエルリッドアンロックをＤ席ドアアンロックと併せて行う場合の動作態様を示す模式図である。
【図７】実施例のフューエルリッドロック装置１においてフューエルリッドアンロックを全席ドアアンロックと併せて行う場合の動作態様を示す模式図である。
【発明を実施するための形態】
【００１２】
以下、本発明を実施するための形態について、添付図面を参照しながら説明する。
【実施例】
【００１３】
本実施例の給油口外蓋施錠装置１は、図１に示すように、メインボデーＥＣＵ２(Electronic  Control  Unit)と、フューエルリッドモータ３（給油口側駆動手段）と、フューエルリッドロックリレー４（遮断手段）と、Ｄ席ドアアンロックリレー５と、Ｄ席ドアモータ６（ドア側駆動手段）と、全席ドアロックリレー７と、全席ドアアンロックリレー８と、Ｐ席ドアモータ９と、ＲＬ席ドアモータ１０と、ＲＲ席ドアモータ１１と、これらを適宜接続する配線と、フューエルリッドモータ３により動作される図示しないフューエルリッド施解錠機構と、図示しないフューエルリッド（給油口外蓋）と、各ドアモータに対応する図示しないドア施解錠機構と、を含んで構成される。
【００１４】
メインボデーＥＣＵ２は、例えばＣＰＵ、ＲＯＭ、ＲＡＭおよびそれらを相互に接続するデータバス、及び入出力インターフェースを含んで構成され、ＲＯＭに格納されたプログラムに従い、以下に述べるそれぞれの制御を行う、開閉検出手段２ａ、状態検出手段２ｂ、施錠手段２ｃを構成する。
【００１５】
メインボデーＥＣＵ２は、例えばＣＡＮ（Controller  Area  Network）を介して車両内のスマートエントリーシステムを構成する図示しないスマートＥＣＵを始めとした他のＥＣＵに接続されるとともにＥＣＵ相互間の送受信と通信を可能なものとしている。また、メインボデーＥＣＵ２には、図示しないドアカーテシスイッチ、ロックポジションスイッチ、メカキースイッチが接続されており、これらの出力を検出することにより、ドアの開閉を検出する開閉検出手段２ａと、ドアロックの状態を検出する状態検出手段２ｂを構成する。
【００１６】
メインボデーＥＣＵ２の施錠手段２ｃは、図２に示すように、ドアカーテシスイッチの出力がオフからいずれかのドアの開に伴いオンとなり、ロックポジションスイッチの出力がオフからオンとなった後、ドアカーテシスイッチの出力がドアの閉に伴いオフとなった場合、つまり、車両が含む複数のドアのうち全ドアの状態がアンロックからロックとなった後に、いずれかのドアの開閉が開から閉となった場合に、図示しないフューエルリッド（給油口外蓋）を施錠するものとする。
【００１７】
フューエルリッドロックリレー４は、図１中左方に位置する第一可動接点と第一固定接点はメーク接点（Normally‐Opened  Contact）を構成し、右方に位置する第二可動接点と第二固定接点はブレーク接点（Normally‐Closed  Contact）を構成し、第一可動接点と第二可動接点を一の可動バネの表裏面に有する所謂トランスファー構造である。なお、メーク接点は常開接点又はａ接点とも表現される。いずれの表現も、非励磁時に接点が開とされるものを指す。また、ブレーク接点は常閉接点又はｂ接点とも表現される。いずれの表現も、非励磁時に接点が閉とされるものを指す。
【００１８】
Ｄ席ドアアンロックリレー５と、全席ドアロックリレー７と、全席ドアアンロックリレー８についても、フューエルリッドロックリレー４と同様にトランスファー構造を有している。
【００１９】
フューエルリッドロックリレー４の具備するコイルは、メインボデーＥＣＵ２から引き出される図１中最下方の指令線Ｌ１に接続され、全席ドアアンロックリレー８、Ｄ席ドアアンロックリレー５と、全席ドアロックリレー７についても、メインボデーＥＣＵ２から引き出される図１中下から二段目から四段目の指令線Ｌ２〜Ｌ４にそれぞれ接続される。
【００２０】
フューエルリッドリレー４の図１中左方の第一固定接点側は、図１中左方に示す車両の電源線＋Ｂに逆流防止用のダイオードを介して接続されており、右方の第二固定接点側は接地されている。フューエルリッドロックリレー４の図１中下方の可動バネ側は、フューエルリッドモータ３の図１中上側の施錠側端子３ａに接続されている。
【００２１】
フューエルリッドロックリレー４以外の三つのリレー８、５、７の図１中左方の第一固定接点側も、図１中に示す車両の電源線＋Ｂにダイオードを介して接続され、右方の第二固定接点側は接地されている。全席ドアアンロックリレー８の可動バネ側は、Ｐ席ドアモータ９、ＲＬ席ドアモータ１０、ＲＲ席ドアモータ１１の図１中下側の解錠側端子に接続されている。なお、施錠側端子とは施錠時に加圧される側の端子を示し、解錠側端子とは解錠に加圧される側の端子を示すものであり、説明の便宜上名称を区別しているものである。
【００２２】
Ｄ席ドアアンロックリレー５の可動バネ側は、分岐点Ｐを介して図１中左右に分岐される配線が接続されており、左方に延びる配線はＤ席ドアモータ６の図中下側の解錠側端子６ａに接続され、右方に延びる配線はフューエルリッドモータ３の解錠側端子３ｂに接続されている。
【００２３】
全席ドアロックリレー７の可動バネ側はＤ席ドアモータ６の図１中上側の施錠側端子と、Ｐ席ドアモータ９、ＲＬ席ドアモータ１０、ＲＲ席ドアモータ１１の図１中下側の施錠側端子に並列に接続されている。
【００２４】
なお、フューエルリッドモータ３により動作されるフューエルリッド施解錠機構は、例えば、フューエルリッドモータ３のロータシャフトに駆動結合されるウォームギヤ、セクタギヤ、施解錠用のシャフトを組み合わせた周知の構成である。ドア施解錠機構についてもこれと同様の又はこれに準じた構成を含んでいる。
【００２５】
施錠手段２ｃが指令線Ｌ１を介してフューエルリッドロックリレー４のコイルに出力する指令が「給油口施錠指令」であり、指令線Ｌ４を介して全席ドアロックリレー７のコイルに出力する指令が「ドア施錠指令」であり、施錠手段２ｃが指令線Ｌ３を介してＤ席ドアアンロックリレー５のコイルに出力する指令が「解錠指令」である。なお、施錠手段２ｃが指令線Ｌ２を介して出力する指令は、Ｄ席以外のドアを解錠するための指令であるが本発明の「解錠指令」には該当しない。
【００２６】
すなわち、本実施例においては、施錠手段２ｃの「給油口施錠指令」と「解錠指令」に基づいて駆動するフューエルリッドモータ３（給油口側駆動手段）と、施錠手段２ｃの「ドア施錠指令」と「解錠指令」に基づいて駆動するＤ席ドアモータ６（ドア側駆動手段）とを含み、車両の電源線＋Ｂから引き出されて枝線分岐されてフューエルリッドモータ３の解錠側端子３ｂとＤ席ドアモータ６の解錠側端子６ａに接続される「解錠電力供給線」を含んでいる。
【００２７】
また、本実施例においては、電源線＋Ｂから引き出されてフューエルリッドモータ３の施錠側端子３ａに接続される「施錠電力供給線」を含み、この「施錠電力供給線」を「給油口施錠指令」がない場合に遮断するフューエルリッドロックリレー４（遮断手段）を含んでいる。
【００２８】
以下に本実施例のフューエルリッドロック装置１の本発明に係る部分の制御内容について図３を用いて説明する。図３中ステップＳ１に示すように、上述した各スイッチの出力をボデーＥＣＵ２の開閉検出手段２ａ又は状態検出手段２ｂが検出し、ステップＳ２においてボデーＥＣＵ２はスマートＥＣＵから又は自身あるいは他のＥＣＵから車室外からの施錠操作要求（スマートエントリー又はワイヤレスによるドアロック、キー連動ロック、３０ｓオートロック、セキュリティ強制ドアロック、リモートサービスによるドアロック、プレ空調によるドアロックｅｔｃ）を検出する。
【００２９】
ステップＳ３において、ボデーＥＣＵ２の施錠手段２ｃは、イグニッションキーがオフであるか否か、つまり、車両が駐車状態であるか否かを判定し、肯定である場合にはステップＳ４にすすみ、否定である場合にはステップＳ１の手前に戻る。このステップＳ３における否定処理により、本実施例のフューエルリッドロック装置１においては、車両が駐車中でない場合、つまり、車両のイグニッションキーがオフでない場合に、ユーザの選択、シフト位置又は車速に基づいては、施錠手段２ｃは「給油口施錠指令」を出力しないこととする。このことは、ユーザが車両から離れている場合はロックとし、一旦乗り込んだ後走行中を含め再度車両を駐車させてユーザが車両から再度離れるまでは、フューエルリッドのアンロックを継続、保持することを意味する。
【００３０】
つづいて、ステップＳ４において、ボデーＥＣＵ２の施錠手段２ｃは、車室外からの施錠操作要求があったか否かを判定し、肯定である場合には、ステップＳ８にすすみ、否定である場合には、ステップＳ５にすすむ。
【００３１】
ステップＳ５において、ボデーＥＣＵ２の施錠手段２ｃは、各スイッチの検出結果からいずれかのドアの開閉が開であるか否かを判定し、肯定であれば、ステップＳ６にすすみ、否定であればステップＳ１の手前に戻る。
【００３２】
ステップＳ６において、ボデーＥＣＵ２の施錠手段２ｃは、各スイッチの検出結果から全ドアの状態がロックであるか否かを判定し、肯定であればステップＳ７にすすみ、否定であれば、ステップＳ１の手前に戻る。
【００３３】
ステップＳ７において、ボデーＥＣＵ２の施錠手段２ｃは、各スイッチの検出結果から全ドアの開閉が閉となったか否か、つまり、いずれかのドアが開から閉に遷移したか否かを判定し、肯定であればステップＳ８にすすみ、否定であれば、ステップＳ１の手前に戻る。
【００３４】
ステップＳ７の肯定後のステップＳ８においては、ボデーＥＣＵ２の施錠手段２ｃは、図１に示した指令線Ｌ１に「給油口施錠指令Ｃ４」を出力する。以下、この態様を図４〜４を用いて示す。図４に示すように、「給油口施錠指令Ｃ４」により、フューエルリッドロックリレー４のコイルを励磁して、メーク接点を閉として、フューエルリッドモータ３の施錠側端子３ａに電源線＋Ｂからの電圧を加圧し、フューエルリッドモータ３に図４中上から下に指向する電流を通電して施錠側に駆動させる。なお、フューエルリッドモータ３の解錠側端子３ｂは分岐点Ｐを介してＤ席ドアアンロックリレー５の可動バネ側から第二固定端子側に流れて接地されている。これにより、図示しないフューエルリッド施解錠機構が動作されて、図示しないフューエルリッドのみが施錠される。
【００３５】
ステップＳ４の肯定後のステップＳ８においては、ボデーＥＣＵ２の施錠手段２ｃは、図５に示す指令線Ｌ１に「給油口施錠指令Ｃ４」を出力する。これにより、図５に示すように、フューエルリッドロックリレー４のコイルを励磁して、メーク接点を閉として、フューエルリッドモータ３の施錠側端子３ａに電源線＋Ｂからの電圧を加圧し、フューエルリッドモータ３を施錠側に駆動させる。これにより、図示しないフューエルリッド施解錠機構が動作されて、図示しないフューエルリッドが施錠される。
【００３６】
これとともに、図５に示すように、施錠手段２ｃは指令線Ｌ４に「ドア施錠指令Ｃ７」を出力して、全席ドアロックリレー７のコイルを励磁して、メーク接点を閉として、Ｄ席ドアモータ６、Ｐ席ドアモータ９、ＲＬ席ドアモータ１０、ＲＲ席ドアモータ１１の施錠側端子に電源線＋Ｂからの電圧を加圧し、各ドアに対応するドア施錠機構を動作させてロックを行う。この場合において図５に示すように、Ｄ席ドアモータ６の解錠側端子６ａと、Ｐ席ドアモータ９、ＲＬ席ドアモータ１０、ＲＲ席ドアモータ１１の解錠側端子は分岐点Ｐ、Ｄ席ドアアンロックリレー５の可動バネと第二固定接点を介して接地される。
【００３７】
以上述べた制御により、本実施例のフューエルリッドロック装置１においては、本発明の給油口外蓋施錠方法が実行される。本発明に係るプログラムは本実施例１ではボデーＥＣＵ２内のＲＯＭ又はＲＡＭ等が保持している。なお、図３に示すフローチャートにおいては、フューエルリッドのアンロックつまり解錠についての制御内容は省略しているが、解錠における図１に示した回路図の動作態様は以下の通りである。まず、Ｄ席ドアのアンロックとのみ伴わせて行う場合について示す。
【００３８】
図６に示すように、ボデーＥＣＵ２の施錠手段２ｃが指令線Ｌ３を介して「解錠指令Ｃ５」を出力すると、Ｄ席ドアアンロックリレー５のコイルが励磁され、メーク接点を閉として、Ｄ席ドアモータ６の解錠側端子６ａに分岐点Ｐを含む解錠側電源供給線を介して電源線＋Ｂからの電圧が図６中下側から上側に向けて加圧され、Ｄ席ドアモータ６を解錠側に駆動させる。これにより、図示しないドア施解錠機構が動作されて、図示しないＤ席のドアが解錠つまりアンロックされる。
【００３９】
これとともに、図６に示すように、フューエルリッドモータ３の解錠側端子３ｂにも分岐点Ｐを含む解錠側電源供給線を介して電源線＋Ｂからの電圧が加圧され、フューエルリッドモータ３は解錠側に駆動され、図示しないフューエルリッド施解錠機構が動作されて、フューエルリッドは解錠される。この場合において図６に示すように、フューエルリッドモータ３の施錠側端子３ａはフューエルリッドロックリレー４の可動バネと第二固定接点を介して接地される。
【００４０】
次に全席ドアのアンロックと伴わせてフューエルリッドのアンロックを行う場合について示す。図７に示すように、ボデーＥＣＵ２の施錠手段２ｃが指令線Ｌ３を介して「解錠指令Ｃ５」を出力し、指令線ＬＷを介して「全席解錠指令Ｃ８」を出力する。まず、Ｄ席ドアアンロックリレー５のコイルと全席ドアアンロックリレー８のコイルが励磁され、メーク接点を閉として、Ｄ席ドアモータ６の解錠側端子６ａ及びＰ席ドアモータ９、ＲＬ席ドアモータ１０、ＲＲ席ドアモータ１１の解錠側端子に電源線＋Ｂからの電圧が加圧され、Ｄ席ドアモータ６及びその他のドアモータ９〜１１を解錠側に駆動させ、ドア施解錠機構が動作されて、Ｄ席のドアとその他のドアが解錠つまりアンロックされる。この場合の接地経路は全席ドアロックリレー７の可動バネと第二固定接点が用いられる。
【００４１】
これとともに、図７に示すように、フューエルリッドモータ３の解錠側端子３ｂにも電源線＋Ｂからの電圧が加圧され、フューエルリッドモータ３は解錠側に駆動され、フューエルリッド施解錠機構が動作されて、フューエルリッドは解錠される。ここでも、フューエルリッドモータ３の施錠側端子３ａはフューエルリッドロックリレー４の可動バネと第二固定接点を介して接地される。
【００４２】
上述したような本実施例の給油口外蓋施錠装置１によれば、以下のような有利な作用効果を得ることができる。すなわち、まず、車両のいずれかのドアのインサイドハンドルロックノブをロックとして、アウトサイドハンドルを引きながらドアを閉とする上述したキーレスロックがユーザにより行われた場合、従来技術ではキーレスロックをドアロック信号として検出できなかった所を、本実施例では比較的簡易なロジックにより正確に検出することができる。この正確な検出に基づいて、キーレスロックが行われた場合には、ユーザに給油の意思がないとみなして、フューエルリッドのロックを速やかに行うことを実現することができる。
【００４３】
また、図１に示した回路構成を採用して、フューエルリッドモータ３の給電態様を着目した場合に、施錠側の給電についてはフューエルリッドロックリレー４（遮断手段）を介して行い、メインボデーＥＣＵ２の監視に基づいて適宜遮断可能なものとすることができる。
【００４４】
この施錠側の給電態様に伴わせて、図３のステップＳ３の否定処理を実行することにより、車両が駐車中でない場合には、ユーザの例えば「集中スイッチ」による選択、「シフト連動」によるシフト位置の変更に対しての連動、又は「車速連動」による車速に対しての連動に基づいては、施錠手段２ｃは「給油口施錠指令」を出力しないことすることができる。つまり、車両にユーザが乗り込む場合には、全ドア又はＤ席ドアのアンロックが行われてフューエルリッドのアンロックも連動して実行されて、かつ、車両にユーザが一旦乗り込んでイグニッションキーをオンとした後は、車両からユーザが完全に離れるまでは、フューエルリッドの「給油口施錠指令」は出力されずアンロックを保持することができる。
【００４５】
すなわち、ユーザが給油の意思を持って車両を停止させた直後においては、フューエルリッドのアンロックが保持された状態とすることができる。上述した選択や連動によって、車両を降車した時点でフューエルリッドがロックされている状態とする従来技術においては、一旦降車したユーザが再度車両のドアのアンロックを行う必要があり、この場合、特に海外等の治安の悪い場所における保安性の低下を招くが、本実施例では、このような保安性の低下を防止することができる。
【００４６】
さらに、図１に示した回路構成を採用した場合には、以下の側面においてもメリットを有する。つまり、フューエルリッドモータ３の給電態様を着目した場合に、解錠側の給電については、Ｄ席ドアアンロックリレー５の下流側から分岐点Ｐを経由してフューエルリッドモータ３に至るまでの「解錠側電源供給線」については、リレーを介在させない配線とし、同じく下流側に並列して位置するＤ席ドアモータ６の解錠側の動作と連動させることとしている。
【００４７】
すなわち、走行中に「Ｄ席ドアアンロック」がユーザにより「集中スイッチ」により選択され、あるいはシフト連動や車速連動が行われたとしても、アンロックについては単なる保持となるため、ボデーＥＣＵ２による監視に基づいた選択、遮断は必要がないため、リレーを介さない直結回路とし、部品点数の削減によるコスト削減を図ることができる。
【００４８】
上述したように本実施例のフューエルリッドロック装置１及び実行される給油口施錠方法によれば、フューエルリッドのロックをドアに必要な場合にのみ連動させて動作させることが可能であり、よりユーザフレンドリーな操作を実現することができる。
【００４９】
以上本発明の好ましい実施例について詳細に説明したが、本発明は上述した実施例に制限されることなく、本発明の範囲を逸脱することなく、上述した実施例に種々の変形および置換を加えることができる。
【００５０】
例えば、図３に示したフローチャートにおいて、ステップＳ５の「いずれかのドアが開」となる事象が発生してから、ステップＳ７の「閉」が発生するまでの時間については、例えば数秒以内のみ有効とする、適宜の時間制限を設けることも可能である。
【産業上の利用可能性】
【００５１】
本発明は、よりユーザフレンドリーな操作を実現できる給油口外蓋施錠装置、給油口外蓋施錠方法を提供することができるので、乗用車、トラック、バス等の様々な車両に適用して有益なものである。
【符号の説明】
【００５２】
１      フューエルリッドロック装置（給油口外蓋施錠装置）
２      メインボデーＥＣＵ
２ａ    開閉検出手段
２ｂ    状態検出手段
２ｃ    施錠手段
３      フューエルリッドモータ（給油口側駆動手段）
３ａ    施錠側端子
３ｂ    解錠側端子
４      フューエルリッドロックリレー（遮断手段）
５      Ｄ席ドアアンロックリレー
６      Ｄ席ドアモータ（ドア側駆動手段）
６ａ    解錠側端子
７      全席ドアロックリレー
８      全席ドアアンロックリレー
９      Ｐ席ドアモータ
１０      ＲＬ席ドアモータ
１１      ＲＲ席ドアモータ
Ｐ      分岐点
【図１】
0005652215.tif 000002
【図２】
0005652215.tif 000003
【図３】
0005652215.tif 000004
【図４】
0005652215.tif 000005
【図５】
0005652215.tif 000006
【図６】
0005652215.tif 000007
【図７】
0005652215.tif 000008